(57)【要約】【課題】パネルと支柱の着脱が容易であり、かつ、支柱を地面から容易に取り外すことができ、分解後の収納性の良いフェンスを提供する。【解決手段】中央分離帯や車道と歩道との境界、あるいは道路と宅地との境界等に設置される着脱可能なフェンス。間隔をあけて地中に埋没され地上に向かって開口する筒状体７と、筒状体７に挿し入れられて間隔をあけて立設される支柱２ａ、２ｂと、支柱２ａ、２ｂに取り付けられるパネル３とを備え、支柱２ａ、２ｂとパネル３は、支柱ブラケット２１ａ（２１ｂ）、２２ａ（２２ｂ）と、パネル３の側部に設けられたパネルブラケット３１、３２とが、ピン４を用いて連結されることで取り付けられている。【選択図】図１
2015132067.tif 000002
【特許請求の範囲】
【請求項１】
中央分離帯や車道と歩道との境界、あるいは道路と宅地との境界等に設置される着脱可能なフェンスであって、
間隔をあけて地中に埋没され地上に向かって開口する筒状体と、それぞれの前記筒状体に挿し入れられて間隔をあけて立設される支柱と、前記支柱間に取り付けられるパネルとを備え、
前記支柱と前記パネルは、前記支柱の外周部に設けられた支柱ブラケットと、前記パネルの側部に設けられたパネルブラケットとが、ピンを用いて連結されることで取り付けられていること
を特徴とするフェンス。
【請求項２】
前記支柱ブラケットと前記パネルブラケットにはそれぞれ孔部が設けられ、前記ピンが前記支柱ブラケットと前記パネルブラケットの前記孔部を刺し通され、
前記ピンは、一端側にピン直径よりも大きい頭部を有し、他端側に開錠により取り外せる錠を備えていること
を特徴とする請求項１記載のフェンス。
【請求項３】
前記支柱ブラケットと前記パネルブラケットの一方には孔部が設けられると共に他方にはピンが設けられ、前記孔部に前記ピンが刺し通され、
前記ピンは、先端側に開錠により取り外せる錠を備えていること
を特徴とする請求項１記載のフェンス。
【請求項４】
前記ピンは上下方向に刺し通されていることを特徴とする請求項１乃至３の何れか１項記載のフェンス。
【請求項５】
前記パネルブラケットが前記支柱ブラケットの上側から前記支柱ブラケットと当接した状態で前記ピンにより前記支柱と前記パネルとの取り付けが行われることを特徴とする請求項１乃至４の何れか１項記載のフェンス。
【請求項６】
前記支柱の外周部には、平面視で異なる半径方向に前記支柱ブラケットが複数設けられ、それぞれの前記支柱ブラケットに異なる前記パネルの前記パネルブラケットが取り付けられて連続したフェンスが形成されていることを特徴とする請求項１乃至５の何れか１項記載のフェンス。
【請求項７】
前記ピンは、他端側に孔部を有し、前記孔部に錠が取り付けられていることを特徴とする請求項１乃至６の何れか１項記載のフェンス。
【発明の詳細な説明】
【技術分野】
【０００１】
本発明は、パネルと支柱との着脱が容易であると共に、地面に対する支柱の着脱も容易なフェンスに関するものである。
【背景技術】
【０００２】
中央分離帯に設定される横断防止柵や、道路を封鎖して車道と歩道との境界あるいは道路と宅地との境界等に設置されるフェンスについて、道路上でイベントが行われる場合や緊急車両の進入時等、一時的にこれを撤去する必要が生じる場合がある。
【０００３】
従来のこうした場所に設置されるフェンスは支柱とパネルとがボルトで固定されて構成されているものが多く、この撤去の際には支柱とパネルの双方を迅速に取り外すことが要求される。
【０００４】
このとき、パネルについてはボルトを外すことで支柱から取り外すことができるが、支柱は通常地中に固定されていて、取り外すことはできない。
【０００５】
そのため、フェンスを構成するパネルについて容易に着脱可能であるとともに、支柱についても用意に着脱可能であるフェンスが求められていた。
【０００６】
こうした要求に応じるため、特許文献１に記載されているように、パネルの固定に要するボルトの個数を削減することでパネルの着脱を容易にした技術がある。
【０００７】
また、地上に立設された支柱の取り外しを容易にする技術としては、パネルを有するフェンスの技術ではなくパーキングブロック装置についての技術であるが、特許文献２に記載されているものがある。
【０００８】
これは、Ｕ字状に一体的に構成される柵状体の両端部を地中に埋設された筒状体に挿し入れるとともに、筒状体の開口部に設けられた開閉可能な蓋に設けられたピンを柵状体に刺し通し、貫通したピンの先端部を錠で固定することで柵状体の固定を行う技術である。
【０００９】
すなわち、柵状体の地面への固定はこの錠を介して行われることになるため、この錠を着脱することにより、柵状体を容易に着脱することができる。
【先行技術文献】
【特許文献】
【００１０】
【特許文献１】特開２００８−１６３６００号公報
【特許文献２】実開昭５８−１４０２１３号公報
【発明の概要】
【発明が解決しようとする課題】
【００１１】
しかし、特許文献１に記載されている技術では、支柱に取り付けられたパネルを取り外す際のボルトの取り外しに工具が必要となる。また、ボルトを取り外すための手間が必要となり、フェンスが長い区間に亘り設けられている場合には、長い作業時間や作業に習熟した多数の人員が必要となるとともに、大変な労力を要することになる。
【００１２】
更に、特許文献１に記載されている技術では、支柱を取り外すことができないため、イベント等による利用が想定される道路や緊急車両の進入に備えた道路等において設置される必要のある、着脱可能なフェンスとしては用いることができない。
【００１３】
また、特許文献２に記載されている技術は、取り外しが可能な柵状体に関するものであるが、フェンスにおける支柱に相当する柵状体の立直部分を挟んでその両側にパネルを取り付けて連続した構成とすることのできるものではないため、長距離に亘り連続するフェンスとして用いることはできない。
【００１４】
また、フェンスにおける支柱に相当する柵状体の一方の立直部分及び他方の立直部分とこれらを繋ぐ水平部分とは一体的に構成されているため、互いに分離することができない。このため、柵状体を取り外した際に柵状体を載置しておくためのスペースを広く確保する必要があり、また、取り外された柵状体は重いため、取り外しと取り付けの際の作業性がよくなかった。
【００１５】
そこで、本発明は、上述した問題点に鑑みて案出されたものであり、中央分離帯に設定される横断防止柵や、車道と歩道との境界あるいは道路と宅地との境界等に設置されるフェンスであって、パネルと支柱の着脱が容易であり、かつ、支柱を地面から容易に取り外すことができ、分解後の収納性の良いフェンスを提供することを目的とする。
【課題を解決するための手段】
【００１６】
第１発明に係るフェンスは、中央分離帯や車道と歩道との境界あるいは道路と宅地との境界等に設置される着脱可能なフェンスであって、間隔をあけて地中に埋没され地上に向かって開口する筒状体と、それぞれの前記筒状体に挿し入れられて間隔をあけて立設される支柱と、前記支柱間に取り付けられるパネルとを備え、前記支柱と前記パネルは、前記支柱の外周部に設けられた支柱ブラケットと、前記パネルの側部に設けられたパネルブラケットとが、ピンを用いて連結されることで取り付けられていることを特徴とする。
【００１７】
第２発明に係るフェンスは、第１発明に係るフェンスにおいて、前記支柱ブラケットと前記パネルブラケットにはそれぞれ孔部が設けられ、前記ピンが前記支柱ブラケットと前記パネルブラケットの前記孔部を刺し通され、前記ピンは、一端側にピン直径よりも大きい頭部を有し、他端側に開錠により取り外せる錠を備えていることを特徴とする。
【００１８】
第３発明に係るフェンスは、第１発明に係るフェンスにおいて、前記支柱ブラケットと前記パネルブラケットの一方には孔部が設けられると共に他方にはピンが設けられ、前記孔部に前記ピンが刺し通され、前記ピンは、先端側に開錠により取り外せる錠を備えていることを特徴とする。
【００１９】
第４発明に係るフェンスは、第１〜第３発明の何れか１つに係るフェンスにおいて、前記ピンは上下方向に刺し通されていることを特徴とする。
【００２０】
第５発明に係るフェンスは、第１〜第４発明の何れか１つに係るフェンスにおいて、前記パネルブラケットが前記支柱ブラケットの上側から前記支柱ブラケットと当接した状態で前記ピンにより前記支柱と前記パネルとの取り付けが行われることを特徴とする。
【００２１】
第６発明に係るフェンスは、第１〜第５発明の何れか１つに係るフェンスにおいて、前記支柱の外周部には、平面視で異なる半径方向に前記支柱ブラケットが複数設けられ、それぞれの前記支柱ブラケットに異なる前記パネルの前記パネルブラケットが取り付けられて連続したフェンスが形成されていることを特徴とする。
【００２２】
第７発明に係るフェンスは、第１〜第６発明の何れか１つに係るフェンスにおいて、前記ピンは、他端側に孔部を有し、前記孔部に錠が取り付けられていることを特徴とする。
【発明の効果】
【００２３】
上述した構成からなる第１〜７発明によれば、パネルと支柱の着脱が容易であり、かつ、支柱を地面から容易に取り外すことができ、かつ、分解後の各構成の収納性が良好なものとなる。
【００２４】
また、第４発明によれば、湾曲した道路等についてもこれに沿ってフェンスを設置することができる。
【００２５】
また、第５発明によれば、フェンスの設置後には支柱がパネルを支える状態となり、安定した取り付け状態とすることができる。また、フェンスの設置作業時には支柱ブラケットに対してパネルブラケットを仮置きすることができるので施工が容易であり、また、ピンを刺し通した後、パネルを持ち上げ支え続けなくともピンに錠を取り付けることができるため、フェンスの設置作業を容易なものとすることができる。
【００２６】
また、第６発明によれば、支柱は地面に設けられた筒状体に挿し入れられるだけで固定されずに立設されているが、パネルと支柱が連接されることで、全体重量が嵩んで人力で持ち上げることができなくなり、取り外されて盗難されることを防止することができる。
【図面の簡単な説明】
【００２７】
【図１】本発明の第１実施形態に係るフェンスを示す斜視図である。
【図２】図１のフェンスの正面図である。
【図３】図１のフェンスの側断面図である。
【図４】図１のフェンスにおいて、パネルが支柱に、ピンにより取り付けられる様子を示す拡大正面図である。
【図５】図４のフェンスから錠を除いた状態を示す、（Ａ）は拡大正面図、（Ｂ）は（Ａ）のＡ−Ａ断面図である。
【図６】第１実施形態に係るフェンスに用いられる支柱を示す、（Ａ）は正面図、（Ｂ）は平面図である。
【図７】第１実施形態に係るフェンスに用いられる他の支柱を示す、（Ａ）は正面図、（Ｂ）は平面図である。
【図８】地面に埋設され、上述した支柱が挿し入れられる筒状体を示す、（Ａ）は側面図、（Ｂ）は平面図である。
【図９】第１実施形態に係るフェンスに用いられるパネルを示す（Ａ）は正面図、（Ｂ）は部分拡大平面図である。
【図１０】第１実施形態に係るフェンスに用いられるピンを示す正面図である。
【図１１】第２実施形態に係るフェンスが組み立てられる様子を示す分解部分拡大正面図である。
【図１２】第２実施形態に係るフェンスから錠を取り除いた状態を示す分解部分拡大正面図である。
【図１３】第３実施形態に係るフェンスが組み立てられる様子を示す分解部分拡大正面図である。
【図１４】第３実施形態に係るフェンスから錠を取り除いた状態を示す分解部分拡大正面図である。
【図１５】第１乃至第３実施形態に係るフェンスにおいて用いられる錠を示す正面図である。
【発明を実施するための形態】
【００２８】
[第１実施形態]
以下、本発明の第１実施形態に係るフェンスについて説明する。図１は、本発明の第１実施形態に係るフェンスを示す斜視図であり、図２はその正面図、図３はその側断面図である。
【００２９】
本実施形態に係るフェンス１は、地面Ｇに所定の間隔をあけて立設された複数の支柱２ａ、２ｂと、支柱２ａ−２ｂ間または支柱２ｂ−２ｂ間に取り付けられたパネル３と、支柱２ａ、２ｂとパネル３とを固定するピン４及びピン４に取り付けられた錠９を備えて構成されている。
【００３０】
図４は、パネル３が支柱２ｂに、ピン４により取り付けられる様子を示す拡大正面図であり、図５は図４から錠９を除いた状態を示す、（Ａ）は拡大正面図、（Ｂ）は（Ａ）のＡ−Ａ断面図である。
【００３１】
パネル３と支柱２ａ、２ｂとの固定は、支柱ブラケット２１ａ（２１ｂ）、２２ａ（２２ｂ）上にパネルブラケット３１、３２を重ねて配置された後、ピン４が支柱ブラケットブラケット２１ａ（２１ｂ）、２２ａ（２２ｂ）及びパネルブラケット３１、３２の孔部に刺し通され、支柱ブラケット２２ａ（２２ｂ）の下部に露出したピン４の先端に錠９が取り付けられることで行われている。この固定の詳細については後述する。
【００３２】
図６は、本実施形態に係るフェンス１に用いられる支柱２ａを示す、（Ａ）は正面図、（Ｂ）は平面図である。
【００３３】
支柱２ａは、フェンス１の延長方向の両端部に用いられる支柱であり、円筒状の柱本体２３ａと、柱本体２３ａの長手方向の所定の位置に配置された上側支柱ブラケット２１ａ及び下側支柱ブラケット２２ａを備えて構成されている。
【００３４】
上側支柱ブラケット２１ａ及び下側支柱ブラケット２２ａは、柱本体２３ａの長手方向に垂直に張出す金属製の部材である。上側支柱ブラケット２１ａ及び下側支柱ブラケット２２ａの内部には、柱本体２３ａの長手方向と同一の方向に向けてそれぞれ孔部２１１ａ、２２１ａが設けられている。これらの孔部２１１ａ、２２１ａは同一の径を有している。
【００３５】
図７は、本実施形態に係るフェンス１に用いられる支柱２ｂを示す、（Ａ）は正面図、（Ｂ）は平面図である。
【００３６】
支柱２ｂは、フェンス１を構成するパネル３が複数枚に及ぶ場合に隣接する２つのパネル３間に用いられる支柱であり、円筒状の柱本体２３ｂと、柱本体２３ｂの長手方向の所定の位置においてそれぞれ対向して配置された１組の上側支柱ブラケット２１ｂ、２１ｂ及び下側支柱ブラケット２２ｂ、２２ｂを備えて構成されている。
【００３７】
上側支柱ブラケット２１ｂ及び下側支柱ブラケット２２ｂは、柱本体２３ｂの長手方向に垂直に張出す金属製の部材である。上側支柱ブラケット２１ｂ及び下側支柱ブラケット２２ｂの内部には、柱本体２３ｂの長手方向と同一の方向に向けてそれぞれ孔部２１１ｂ、２２１ｂが設けられている。これらの孔部２１１ｂ、２２１ｂは同一の径を有している。
【００３８】
なお、フェンス１の敷設時には、雨水等の浸入防止等のため、図４に示すように、支柱２ａ及び支柱２ｂの上端部にそれぞれ樹脂等により形成されるキャップ２６ａ、２６ｂが取り付けられる。
【００３９】
図８は、地面Ｇに埋設され、上述した支柱２ａ、２ｂが挿し入れられる筒状体７を示す、（Ａ）は側面図、（Ｂ）は平面図である。
【００４０】
筒状体７は、図８の上端側が開放端部７１となっている金属製の筒状の部材である。
【００４１】
筒状体７の内周面には、この長手方向に沿い、３つのリブ７２が設けられている。このリブ７２が設けられていることで、支柱２ａ又は２ｂを挿入する際に筒状体７の内周面と支柱２ａ、２ｂの外周面との接触面積が低減されるため両者間に働く摩擦を低減することができ、支柱２ａ、２ｂの挿入をスムーズに行うことができる。
【００４２】
また、筒状体７の底面の中央部分には、水抜き孔７３が設けられている。筒状体７の内部に浸入した雨水等は、この水抜き孔７３を経て土中に放出される。
【００４３】
また、筒状体７は、図３に示すように、支柱２ａ（２ｂ）を安定して支持するため、コンクリートで形成された凹部８に挿通されることで地面Ｇに埋没されている。
【００４４】
なお、本実施形態においては支柱２ａ、２ｂは金属製の筒状の部材よりなる筒状体７に挿入されて支持されているが、本発明においてはこれに限らず、筒状体は支柱２ａ、２ｂを挿入可能でこれらを支持することのできる縦穴であればよい。そのため、筒状体として、縦穴が形成されたコンクリート基礎を用いてもよい。
【００４５】
図９は、パネル３を示す（Ａ）は正面図、（Ｂ）は部分拡大平面図である。
【００４６】
パネル３は、それぞれ金属製の筒状の上枠３３と、下枠３４と、上枠３３及び下枠３４の両端部をそれぞれ連結する横枠３５とにより構成される枠体を備えると共に、枠体内部において上枠３３と下枠３４とを連結するように所定の間隔を空けて複数個配置されている金属製の棒状の柵体３６を備えて形成されている。
【００４７】
左右の横枠３５には、パネル３の外側に向けて、所定の間隔を空けて上側パネルブラケット３１と下側パネルブラケット３２とが形成されている。
【００４８】
上側パネルブラケット３１と下側パネルブラケット３２は、横枠３５の長手方向に垂直に張出す金属製の部材である。上側パネルブラケット３１及び下側パネルブラケット３２の内部には、横枠３５の長手方向と同一の方向に向けてそれぞれ孔部３１１、３２１が設けられている。これらの孔部３１１、３２１は同一の径を有している。
【００４９】
図１０は、ピン４を示す正面図である。ピン４は、金属製の棒状の部材であり、直線状の本体部４２と、本体部４２の一端側を屈曲させて形成された頭部４１と、本体部４２の他端側に設けられ先細のテーパ状となっている先端部４３と、先端部４３に設けられた錠９を取り付けるための孔部４４と、を備えて形成されている。
【００５０】
ピン４の先端部４３及び本体部４２は、上側支柱ブラケット２１ａ（２１ｂ）の孔部２１１ａ（２１１ｂ）、下側支柱ブラケット２２の孔部２２１ａ（２２１ｂ）、上側パネルブラケット３１の孔部３１１及び下側パネルブラケット３２の孔部３２１の径よりも小さな径を有している。
【００５１】
一方、ピン４の頭部４１は、本体部４２が屈曲されていることで平面視で本体部４２よりも大きく形成されていて、頭部４１は、上側支柱ブラケット２１ａ（２１ｂ）の孔部２１１ａ（２１１ｂ）、下側支柱ブラケット２２の孔部２２１ａ（２２１ｂ）、上側パネルブラケット３１の孔部３１１及び下側パネルブラケット３２の孔部３２１の径よりも大きくなっている。
【００５２】
図１５は、錠９を示す正面図である。錠９は、鍵により開閉可能な一般的な南京錠であり、鍵穴（不図示）が形成された本体部９２と、開閉可能なＵ字型の掛け金９１とにより構成されている。掛け金９１の径は、ピン４の先端部４３に形成された孔部４４よりも小さな径となっている。
【００５３】
次に、図４及び図５に戻り、上述した各構成を備えるフェンス１の組立について説明する。
【００５４】
フェンス１が設置される際、まず、２つ以上の筒状体７が地面Ｇに所定の間隔を空けて埋設される。この筒状体７の埋設数は、設置したい支柱２ａ、２ｂの数に応じて決められる。
【００５５】
次に、敷設された筒状体７に、支柱２ａ、２ｂが挿入される。このとき、筒状体７の内周面にリブ７２が形成されていることで摩擦抵抗が軽減され、スムーズな挿入を行うことができる。
【００５６】
次に、パネル３が支柱２ａ−２ｂ間又は支柱２ｂ−２ｂ間に載置される。このときパネル３の上側パネルブラケット３１が支柱２ａ（２ｂ）の上側支柱ブラケット２１ａ（２１ｂ）上に載置される。また、パネル３の下側パネルブラケット３２が支柱２ａ（２ｂ）の下側支柱ブラケット２２ａ（２２ｂ）上に載置される。
【００５７】
こうしてパネル３は、支柱２ａ、２ｂに仮置きされた状態となる。そのため、以後のピン４による固定作業の際、作業員がパネル３を支持し続ける必要が無く、作業を容易に行うことができる。また、フェンスの設置後には支柱がパネルを支える状態となり、安定した取り付け状態とすることができる。
【００５８】
この仮置きの状態において、上側パネルブラケット３１の孔部３１１、上側支柱ブラケット２１ａ（２１ｂ）の孔部２１１ａ（２１１ｂ）、下側パネルブラケット３２の孔部３２１及び下側支柱ブラケット２２ａ（２２ｂ）の孔部２２１ａ（２２１ｂ）は連通した状態となっている。
【００５９】
次に、上側パネルブラケット３１の孔部３１１、上側支柱ブラケット２１ａ（２１ｂ）の孔部２１１ａ（２１１ｂ）、下側パネルブラケット３２の孔部３２１及び下側支柱ブラケット２２ａ（２２ｂ）の孔部２２１ａ（２２１ｂ）へと順に、ピン４がその先端部４３側から挿し通される。
【００６０】
このとき、ピン４の頭部４１は、上側パネルブラケット３１の孔部３１１を通過することができず、孔部３１１の開口部に引っかかった状態となる。そのため、上側パネルブラケット３１の孔部３１１、上側支柱ブラケット２１ａ（２１ｂ）の孔部２１１ａ（２１１ｂ）、下側パネルブラケット３２の孔部３２１及び下側支柱ブラケット２２ａ（２２ｂ）の孔部２２１ａ（２２１ｂ）に挿し通されたピン４はそのまま下に抜け落ちることがなく、先端部４３のみが下側支柱ブラケット２１ａ（２１ｂ）から露出した状態で係止される。
【００６１】
これにより、支柱２ａ（２ｂ）とパネル３とは、ピン４の本体部４２により図４及び図５の左右方向の動作が規制された状態となる。
【００６２】
次に、下側支柱ブラケット２２ａ（２２ｂ）から露出したピン４の孔部４４に、錠９が取り付けられる。錠９の取り付けは、鍵を用いて錠９の掛け金９１を開き、これを孔部４４に挿入したのち掛け金９１を閉じることで行われる。
【００６３】
こうしてピン４に錠９が取り付けられることで、ピン４を上側パネルブラケット３１の孔部３１１、上側支柱ブラケット２１ａ（２１ｂ）の孔部２１１ａ（２１１ｂ）、下側パネルブラケット３２の孔部３２１及び下側支柱ブラケット２２ａ（２２ｂ）の孔部２２１ａ（２２１ｂ）から引き抜くことができなくなる。
【００６４】
すなわち、上側支柱ブラケット２１ａ（２１ｂ）及び下側支柱ブラケット２２ａ（２２ｂ）に対する上側パネルブラケット３１及び下側パネルブラケット３２の図４に示す上下方向への動作が規制された状態となり、支柱２ａ（２ｂ）とパネル３との上下方向への動作が規制された状態となる。
【００６５】
すなわち、支柱２ａ（２ｂ）とパネル３は、ピン４の本端部４２により左右方向の動作が規制されるとともに、ピン４の頭部４１及び錠９により上下方向の動作が規制された状態となり、互いに固定された状態となる。こうして支柱２ａ（２ｂ）とパネル３との取り付けが完了する。
【００６６】
上述した第１実施形態に係るフェンス１によると、錠９の開閉のみでパネル３と支柱２ａ（２ｂ）の着脱ができるため、工具を要さず、作業の熟練も要することなく、迅速かつ容易に着脱作業をすることができる。
【００６７】
また、フェンス１の組み立ての際にはパネル３を、支柱２ａ、２ｂに仮置きすることができるため、以後のピン４による固定作業の際、作業員がパネル３を支持し続ける必要が無く、作業を容易に行うことができる。
【００６８】
また、フェンス１の設置後には支柱２ａ、２ｂがパネル３を支える状態となり、安定した取り付け状態とすることができる。
【００６９】
また、ピン４が上下に刺し通されて固定が行われることから、パネル３と支柱２ａ（２ｂ）との固定は、ピン４を中心とした回転方向については制限を受けず行うことができる。そのため、湾曲した道路等についてもこれに沿ってフェンス１を設置することができる。
【００７０】
また、支柱２ａ（２ｂ）は地面に設けられた筒状体７に挿し入れられるだけで固定されずに立設されているが、パネル３と支柱２ａ（２ｂ）が連接されることで、フェンス１の全体重量が嵩んで人力で持ち上げることができなくなる。これにより、フェンス１が取り外されて盗難されることを防止することができる。
【００７１】
また、支柱２ａ（２ｂ）については地面に固定されず、連接されるフェンス１の自重のみにより地面に固定されているため、フェンス１の分解時には支柱２ａ（２ｂ）を地面から容易に取り外すことができる。
【００７２】
また、フェンス１の撤去時には、支柱２ａ（２ｂ）とパネル３とを分解可能であるとともに、同様に分解される支柱２ａ（２ｂ）とパネル３とを固定するための構成であるピン４及び錠９も簡易且つ小型な構成であるため、分解後の各構成部材の収納に要するスペースを削減することができる。
【００７３】
[第２実施形態]
次に、本発明の第２実施形態に係るフェンスについて説明する。
【００７４】
図１１は、第２実施形態に係るフェンス１’が組み立てられる様子を示す分解部分拡大正面図、図１２は第２実施形態に係るフェンス１’から錠９を取り除いた状態を示す分解部分拡大正面図である。
【００７５】
第２実施形態に係るフェンス１’は、第１実施形態に係るフェンス１（図４及び図５参照）と支柱２ａ（２ｂ）の形状は同一である。
【００７６】
一方、第２実施形態に係るフェンス１’は、第１実施形態に係るフェンス１と異なるパネルブラケット３１’、３２’を備えている。以下、第２実施形態に係るパネルブラケット３１’、３２’の形状について説明する。
【００７７】
第２実施形態に係るフェンス１’を構成するパネル３の左右の横枠３５には、パネル３の外側に向けて、所定の間隔を空けて上側パネルブラケット３１’と下側パネルブラケット３２’とが形成されている。
【００７８】
上側パネルブラケット３１’と下側パネルブラケット３２’は、横枠３５の長手方向に垂直に張出す金属製の部材である。上側パネルブラケット３１’及び下側パネルブラケット３２’の下部には、横枠３５の長手方向と平行に下方に向けて、それぞれ先端部が先細のテーパ状となっている上側ピン３７’及び下側ピン３８’が設けられている。
【００７９】
これら上側ピン３７’及び下側ピン３８’の径は、上側支柱ブラケット２１ａ（２１ｂ）の孔部２１１ａ（２１１ｂ）及び下側支柱ブラケット２２ａ（２２ｂ）の孔部２２１ａ（２２１ｂ）よりも小さな径を有している。
【００８０】
また、下側ピン３８’の先端部には、孔部３８１’が設けられている。この孔部３８１’の径は、錠９の掛け金９１の径よりも大きな径となっている。
【００８１】
第２実施形態に係るフェンス１’の組み立てでは、まず、パネル３の上側パネルブラケット３１’及び下側パネルブラケット３２’を上側支柱ブラケット２１ａ（２１ｂ）及び下側支柱ブラケット２２ａ（２２ｂ）の上に載置することが行われる。
【００８２】
このとき、上側パネルブラケット３１’の上側ピン３７’が上側支柱ブラケット２１ａ（２１ｂ）の孔部２１１ａ（２１１ｂ）に挿し入れられるとともに、下側パネルブラケット３２’の下側ピン３８’が下側支柱ブラケット２２ａ（２２ｂ）の孔部２２１ａ（２２１ｂ）に挿し入れられる。
【００８３】
こうして上側支柱ブラケット２１ａ（２１ｂ）の孔部２１１ａ（２１１ｂ）と下側支柱ブラケット２２ａ（２２ｂ）の孔部２２１ａ（２２１ｂ）とにより上側ピン３７’と下側ピン３８’の横方向への動作が規制されることで、パネル３の支柱２ａ（２ｂ）に対する横方向の動作が規制される。
【００８４】
このとき、上側ピン３７’及び下側ピン３８’の先端部は、それぞれ上側支柱ブラケット２１ａ（２１ｂ）及び下側支柱ブラケット２２ａ（２２ｂ）を貫通し、それぞれの下部から外部に露出した状態となっている。
【００８５】
この状態で、下側ピン３８’の孔部３８１’に錠９を取り付けることで、下側支柱ブラケット２２ａ（２２ｂ）から下側ピン３８’を引き抜けなくなる。
【００８６】
これにより、上側支柱ブラケット２１ａ（２１ｂ）及び下側支柱ブラケット２２ａ（２２ｂ）に対する上側パネルブラケット３１’及び下側パネルブラケット３２’の図１２に示す上下方向への動作が規制された状態となり、支柱２ａ（２ｂ）とパネル３との上下方向への動作が規制された状態となる。
【００８７】
すなわち、支柱２ａ（２ｂ）とパネル３は、上側ピン３７’及び下側ピン３８’により左右方向の動作が規制されるとともに、錠９により上下方向の動作が規制された状態となり、互いに固定された状態となる。こうして支柱２ａ（２ｂ）とパネル３との取り付けが完了する。
【００８８】
上述した第２実施形態に係るフェンス１’によると、錠９の開閉のみでパネル３と支柱２ａ（２ｂ）の着脱ができるため、工具を要さず、作業の熟練も要することなく、迅速かつ容易に着脱作業をすることができる。
【００８９】
また、フェンス１’の組み立ての際にはパネル３を、支柱２ａ、２ｂに仮置きすることができるため、設置作業の際、作業員がパネル３を支持し続ける必要が無く、作業を容易に行うことができる。
【００９０】
また、フェンス１’の設置後には支柱２ａ、２ｂがパネル３を支える状態となり、安定した取り付け状態とすることができる。
【００９１】
また、上側ピン３７’と下側ピン３８’が上下に刺し通されて固定が行われることから、パネル３と支柱２ａ（２ｂ）との固定は、上側ピン３７’と下側ピン３８’を中心とした回転方向については制限を受けず行うことができる。そのため、湾曲した道路等についてもこれに沿ってフェンス１’を設置することができる。
【００９２】
また、支柱２ａ（２ｂ）は地面に設けられた筒状体７に挿し入れられるだけで固定されずに立設されているが、パネル３と支柱２ａ（２ｂ）が連接されることで、フェンス１’の全体重量が嵩んで人力で持ち上げることができなくなる。これにより、フェンス１’が取り外されて盗難されることを防止することができる。
【００９３】
また、支柱２ａ（２ｂ）については地面に固定されず、連接されるフェンス１’の自重のみにより地面に固定されているため、フェンス１の分解時には支柱２ａ（２ｂ）を地面から容易に取り外すことができる。
【００９４】
また、フェンス１’の撤去時には、支柱２ａ（２ｂ）とパネル３とを分解可能であるとともに、同様に分解される支柱２ａ（２ｂ）とパネル３とを固定するための構成である錠９も簡易且つ小型な構成であるため、分解後の各構成部材の収納に要するスペースを削減することができる。
【００９５】
[第３実施形態]
次に、本発明の第３実施形態に係るフェンスについて説明する。図１３は、第３実施形態に係るフェンス１’’が組み立てられる様子を示す分解部分拡大正面図、図１４は第３実施形態に係るフェンス１’’から錠９を取り除いた状態を示す分解部分拡大正面図である。
【００９６】
第３実施形態に係るフェンス１’’は、第１実施形態に係るフェンス１（図４及び図５参照）とパネル３の形状は同一である。
【００９７】
一方、第３実施形態に係るフェンス１’’は、第１実施形態に係るフェンス１と異なる上側支柱ブラケット２１ａ’（２１ｂ’）及び下側支柱ブラケット２２ａ’（２２ｂ’）を備えている。以下、第３実施形態に係る上側支柱ブラケット２１ａ’（２１ｂ’）及び下側支柱ブラケット２２ａ’（２２ｂ’）の形状について、支柱２ｂ’を例に説明する。
【００９８】
第３実施形態に係るフェンス１’’を構成する支柱２ｂ’の本体部２３ｂ’には、長手方向の所定の位置においてそれぞれ対向して配置された１組の上側支柱ブラケット２１ｂ’、２１ｂ’及び下側支柱ブラケット２２ｂ’、２２ｂ’を備えて構成されている。
【００９９】
上側支柱ブラケット２１ｂ’及び下側支柱ブラケット２２ｂ’は、柱本体２３ｂの長手方向に垂直に張出す金属製の部材である。上側支柱ブラケット２１ｂ’及び下側支柱ブラケット２２ｂ’の上部には、柱本体２３ｂの長手方向と平行に、上方に向けてそれぞれ上側ピン２７’及び下側ピン２８’が設けられている。
【０１００】
これら上側ピン２７’及び下側ピン２８’の径は、上側パネルブラケット３１の孔部３１１及び下側パネルブラケット３２の孔部３２１よりも小さな径を有している。
【０１０１】
また、下側ピン２８’の先端部には、孔部２８１’が設けられている。この孔部２８１’の径は、錠９の掛け金９１の径よりも大きな径となっている。
【０１０２】
なお、第３実施形態に係る支柱２ａ’は、上述した支柱２ｂ’の左右何れかの側にある支柱ブラケット２１ｂ’及び２２ｂ’が除かれている他は、支柱２ｂ’と同様の構成となっている。
【０１０３】
次に、第３実施形態に係るフェンス１’’の組立について説明する。
【０１０４】
まず、パネル３の上側パネルブラケット３１及び下側パネルブラケット３２が、上側支柱ブラケット２１ａ（２１ｂ）及び下側支柱ブラケット２２ａ（２２ｂ）の上に載置される。
【０１０５】
このとき、上側支柱ブラケット２１ａ’（２１ｂ’）の上側ピン２７’が上側パネルブラケット３１の孔部３１１に挿し入れられるとともに、下側支柱ブラケット２２ａ’（２２ｂ’）の下側ピン２８’が下側パネルブラケット３２の孔部３２１に挿し入れられる。
【０１０６】
こうして上側パネルブラケット３１の孔部３１１と下側パネルブラケット３２の孔部３２１とにより上側ピン２７’と下側ピン２８’の横方向への動作が規制されることで、パネル３の支柱２ａ’（２ｂ’）に対する横方向の動作が規制される。
【０１０７】
このとき、上側ピン２７’及び下側ピン２８’の先端部は、それぞれ上側パネルブラケット３１及び下側パネルブラケット３２を貫通し、これらの上部において外部に露出した状態となっている。
【０１０８】
この状態で、上述した第１実施形態と同様に外部に露出している下側ピン２８’の孔部２８１’に錠９を取り付けることで、下側パネルブラケット３２から下側ピン２８’を引き抜けなくなる。
【０１０９】
これにより、上側支柱ブラケット２１ａ’（２１ｂ’）及び下側支柱ブラケット２２ａ’（２２ｂ’）に対する上側パネルブラケット３１及び下側パネルブラケット３２の図１４に示す上下方向への動作が規制された状態となり、支柱２ａ’（２ｂ’）とパネル３との上下方向への動作が規制された状態となる。
【０１１０】
すなわち、支柱２ａ’（２ｂ’）とパネル３は、上側ピン２７’及び下側ピン２８’により左右方向の動作が規制されるとともに、錠９により上下方向の動作が規制された状態となり、互いに固定された状態となる。こうして支柱２ａ’（２ｂ’）とパネル３との取り付けが完了する。
【０１１１】
上述した第３実施形態に係るフェンス１’’によると、錠９の開閉のみでパネル３と支柱２ａ’（２ｂ’）の着脱ができるため、工具を要さず、作業の熟練も要することなく、迅速かつ容易に着脱作業をすることができる。
【０１１２】
また、フェンス１’’の組み立ての際にはパネル３を、支柱２ａ’、２ｂ’に仮置きすることができるため、設置作業の際、作業員がパネル３を支持し続ける必要が無く、作業を容易に行うことができる。
【０１１３】
また、フェンス１’’の設置後には支柱２ａ’、２ｂ’がパネル３を支える状態となり、安定した取り付け状態とすることができる。
【０１１４】
また、上側ピン２７’と下側ピン２８’が上下に刺し通されて固定が行われることから、パネル３と支柱２ａ’（２ｂ’）との固定は、上側ピン２７’と下側ピン２８’を中心とした回転方向については制限を受けず行うことができる。そのため、湾曲した道路等についてもこれに沿ってフェンス１’’を設置することができる。
【０１１５】
また、支柱２ａ’（２ｂ’）は地面に設けられた筒状体７に挿し入れられるだけで固定されずに立設されているが、パネル３と支柱２ａ’（２ｂ’）が連接されることで、フェンス１’’の全体重量が嵩んで人力で持ち上げることができなくなる。これにより、フェンス１’’が取り外されて盗難されることを防止することができる。
【０１１６】
また、支柱２ａ’（２ｂ’）については地面に固定されず、連接されるフェンス１’’の自重のみにより地面に固定されているため、フェンス１の分解時には支柱２ａ’（２ｂ’）を地面から容易に取り外すことができる。
【０１１７】
また、フェンス１’’の撤去時には、支柱２ａ’（２ｂ’）とパネル３とを分解可能であるとともに、同様に分解される支柱２ａ’（２ｂ’）とパネル３とを固定するための構成である錠９も簡易且つ小型な構成であるため、分解後の各構成部材の収納に要するスペースを削減することができる。
【０１１８】
なお、本願発明は上述した各実施形態に限らず、種々の変形を行うことができる。
【０１１９】
例えば、上述した各実施形態においては、支柱及びパネルにおいて上下に２段のブラケットを用いていたが、本発明においてはこれに限らず、任意の数のブラケットを用いてもよい。
【０１２０】
この場合でも、上述した各実施形態と同様に、錠の開閉のみでパネルと支柱の着脱ができるため容易に着脱作業をすることができる。また、支柱については地面に固定されず、フェンスの自重のみにより地面に固定されているため、フェンスの分解時には支柱を地面から容易に取り外すことができる。
【０１２１】
また、支柱とパネルとを固定するための構成が簡易且つ小型なものであるため、分解後の各構成部材の収納に要するスペースを削減することができる。
【符号の説明】
【０１２２】
１、１’、１’’  フェンス
２ａ、２ａ’、２ｂ、２ｂ’  支柱
３  パネル
４  ピン
９  錠
２１ａ、２１ａ’、２１ｂ、２１ｂ’  上側支柱ブラケット
２２ａ、２２ａ’、２２ｂ、２２ｂ’  下側支柱ブラケット
３１、３１’  上側パネルブラケット
３２、３２’  下側パネルブラケット
４１  頭部
２１１、２１１’、２２１、２２１’、３１１、３２１、４４、２８１’、３８１’  孔部
Ｇ  地面
【図１】
2015132067.tif 000003
【図２】
2015132067.tif 000004
【図３】
2015132067.tif 000005
【図４】
2015132067.tif 000006
【図５】
2015132067.tif 000007
【図６】
2015132067.tif 000008
【図７】
2015132067.tif 000009
【図８】
2015132067.tif 000010
【図９】
2015132067.tif 000011
【図１０】
2015132067.tif 000012
【図１１】
2015132067.tif 000013
【図１２】
2015132067.tif 000014
【図１３】
2015132067.tif 000015
【図１４】
2015132067.tif 000016
【図１５】
2015132067.tif 000017